(57)【要約】      （修正有）【課題】ボビンに端子本体を迅速かつ安定的に設置するとともに、高圧異常が発生して品質が低下することを有効に防ぐことができる変圧器の端子構造を提供する。【解決手段】変圧器の端子構造は、端部に曲がり部１０を有する端子本体１と、端子本体１の端部が延伸され、曲がり部１０の両側に形成された少なくとも２つの押し部２と、を備える。端子本体１を挿入するときは押し部２上に力が加えられるため、曲がり部１０が外力により変形するのを防ぐことができる。【選択図】図１
0003146174.tif 000002
【実用新案登録請求の範囲】
【請求項１】
端部に曲がり部を有する端子本体と、
前記端子本体の端部が延伸され、前記曲がり部の両側に形成された少なくとも２つの押し部と、を備えることを特徴とする変圧器の端子構造。
【請求項２】
前記端子本体は、互いに接続された第１の挿着部、第２の挿着部および第３の挿着部を有し、
前記第１の挿着部、前記第２の挿着部および前記第３の挿着部の端縁の２つの側面にはそれぞれ斜面が設けられ、前記第１の挿着部、前記第２の挿着部および前記第３の挿着部の前記斜面により前記端子本体の２つの側縁が落ち込み段差形状に形成され、
前記曲がり部は、前記第３の挿着部の端部に設けられることを特徴とする請求項１に記載の変圧器の端子構造。
【請求項３】
前記第３の挿着部の２つの側面には、それぞれ干渉体が設けられることを特徴とする請求項２に記載の変圧器の端子構造。
【考案の詳細な説明】
【技術分野】
【０００１】
本考案は、変圧器の端子構造に関し、特に、ボビン上に端子本体を迅速かつ安定的に設置するとともに、高圧異常が発生して品質が低下することを有効に防ぐことができる変圧器の端子構造に関する。
【背景技術】
【０００２】
一般に従来の変圧器端子は、通常、挿着部と、挿着部の端部に設けられた曲がり部とからなる。これにより、ボビンに端子の挿着部を挿入し、ボビン上に導線を巻き付けてから、端子本体の曲がり部を所望の回路基板に結合させて電気的に接続し、所望の使用機能を得ていた。
【０００３】
上述した従来の端子は、変圧器と回路基板とを電気的に接続する機能を得ることができるが、端子が挿着部および曲がり部からなり、その他の強化構造を有していなかった。そのため、ボビンに端子が挿入されると、外力が加わることにより、挿着部および曲がり部が変形する上、ボビン上に端子を安定的に設置させることができなくなり、変圧器を使用するときに高圧異常が発生し、品質が低下してしまう虞があった。
【考案の開示】
【考案が解決しようとする課題】
【０００４】
本考案は、上記に鑑みてなされたものであって、ボビンに端子本体を迅速かつ安定的に設置するとともに、高圧異常が発生して品質が低下することを有効に防ぐことができる変圧器の端子構造を提供することを目的とする。
【課題を解決するための手段】
【０００５】
上記課題を解決するために、本考案に係る変圧器の端子構造は、端部に曲がり部を有する端子本体と、前記端子本体の端部が延伸され、前記曲がり部の両側に形成された少なくとも２つの押し部と、を備えることを特徴とする。
【０００６】
さらに、本考案に係る変圧器の端子構造は、前記端子本体は、互いに接続された第１の挿着部、第２の挿着部および第３の挿着部を有し、前記第１の挿着部、前記第２の挿着部および前記第３の挿着部の端縁の２つの側面にはそれぞれ斜面が設けられ、前記第１の挿着部、前記第２の挿着部および前記第３の挿着部の前記斜面により前記端子本体の２つの側縁が落ち込み段差形状に形成され、前記曲がり部は、前記第３の挿着部の端部に設けられることを特徴とする。
【０００７】
さらに、本考案に係る変圧器の端子構造は、前記第３の挿着部の２つの側面には、それぞれ干渉体が設けられることを特徴とする。
【考案の効果】
【０００８】
以上のように、本考案に係る変圧器の端子構造は、ボビンに端子本体を迅速かつ安定的に設置するとともに、高圧異常が発生して品質が低下すること有効に防ぐことができる。
【考案を実施するための最良の形態】
【０００９】
図１および図２を参照する。図１および図２に示すように、本考案の一実施形態による変圧器の端子構造は、端子本体１および少なくとも２つの押し部２からなる。
【００１０】
図１および図２に示すように、端子本体１は、一方の端部が略９０度に折り曲げられた曲がり部１０を有し、互いに接続された第１の挿着部１１、第２の挿着部１２および第３の挿着部１３を含む。第１の挿着部１１、第２の挿着部１２および第３の挿着部１３の端縁の２つの側面には、それぞれ斜面１１１，１２１，１３１が設けられ、端子本体１の２つの側縁は、第１の挿着部１１、第２の挿着部１２および第３の挿着部１３の斜面１１１，１２１，１３１により落ち込み段差形状に形成され、第３の挿着部１３の２つの側面の適宜箇所には、それぞれ干渉体１３２が設けられ、第３の挿着部１３の端部には、曲がり部１０が設けられている。
【００１１】
各押し部２は、端子本体１の第３の挿着部１３の端部が延伸され、曲がり部１０の両側に形成されている。このように、上述の構造により全く新しい変圧器の端子構造が完成する。
【００１２】
図３から図６を参照する。図３から図６に示すように、本考案の一実施形態では、多数の端子本体１を変圧器のボビン３と結合させるとき、まず、端子本体１の第１の挿着部１１を、ボビン３の一方の側面から固定孔３１に貫設させた後に、第３の挿着部１３上の押し部２に外力を加えて固定孔３１に第１の挿着部１１、第２の挿着部１２および第３の挿着部１３を完全に挿入させる。第１の挿着部１１の端縁部分は、ボビン３の他方の側面から露出され、導線が巻き付けられた後にボビン３の後部で用いることが可能である。第１の挿着部１１、第２の挿着部１２および第３の挿着部１３は、その斜面１１１，１２１，１３１により落ち込み段差形状に形成されているため、固定孔３１へスムーズに端子本体１を挿入させることができる。そして、固定孔３１に端子本体１が挿入されると、第３の挿着部１３の２つの側面の干渉体１３２が固定孔３１の内縁と干渉するため、固定孔３１から端子本体１が外れることを防止することができる。固定孔３１に端子本体１を挿入するときは、押し部２上に力が加えられるため、曲がり部１０が外力により圧迫されて変形することを防ぎながら、曲がり部１０とボビン３の側面とを垂直にすることができる。そのため、所望の回路基板４と突き合わせて接続するのに都合が良い。これにより、ボビン３上に端子本体１を迅速かつ安定的に設置することが可能で、高圧異常が発生することを有効に防ぐことができる。
【００１３】
本考案の変圧器の端子構造は、従来技術の様々な欠点を有効に改善することができ、ボビン上に端子本体を迅速かつ安定的に設置するとともに、高圧異常が発生して品質が低下することを有効に防ぐことができる。
【００１４】
なお、本考案は、上記実施の形態に限定されるものではなく、請求項に示した範囲で種々の変更が可能である。すなわち、請求項に示した範囲で適宜変更した技術的手段を組み合わせて得られる実施の形態についても本考案の技術的範囲に含まれる。
【図面の簡単な説明】
【００１５】
【図１】本考案の一実施形態による端子本体を示す斜視図である。
【図２】本考案の一実施形態による端子本体をもう一つの方向から見たときの状態を示す斜視図である。
【図３】本考案の一実施形態によるボビンに端子本体を挿着するときの状態を示す斜視図である。
【図４】本考案の一実施形態によるボビンに端子本体を挿着したときの状態を示す斜視図である。
【図５】本考案の一実施形態によるボビンと回路基板とを結合させたときの状態を示す斜視図である。
【図６】本考案の一実施形態によるボビンと回路基板とを結合させたときの状態を示す断面図である。
【符号の説明】
【００１６】
１      端子本体
１０    曲がり部
１１    第１の挿着部
１２    第２の挿着部
１３    第３の挿着部
１１１  斜面
１２１  斜面
１３１  斜面
１３２  干渉体
２      押し部
３      ボビン
３１    固定孔
４      回路基板
【図１】
0003146174.tif 000003
【図２】
0003146174.tif 000004
【図３】
0003146174.tif 000005
【図４】
0003146174.tif 000006
【図５】
0003146174.tif 000007
【図６】
0003146174.tif 000008